(57)【要約】      （修正有）【課題】テンプルを容易に組立てる眼鏡を提供する。【解決手段】テンプルを容易に組立てる眼鏡は、２つのレンズ２、フレームユニット３、接続ユニット４、テンプルユニット５及びロックユニット６を備え、フレームユニットは、レンズが装着されるフレーム本体３１と、夫々ねじ孔３２１を有する２つの延伸部３２とを備え、接続ユニットは２つの接続具４１を有し、各接続具は対応する延伸部３２が挿着される接続溝４１４と、枢着孔４１６とを備え、テンプルユニットは、接続ユニット４に対して回動することができる２つのテンプル５１を有し、各テンプルは対応する枢着孔４１６に枢設される枢軸部５１１を備え、ロックユニットは、延伸部のねじ孔３２１に脱着可能に螺合される２つのねじ６１を備える。延伸部と接続具とねじとを別体に設置することによって、テンプルの組立てを容易に行うことができる。【選択図】図３
0003199702.tif 000002
【実用新案登録請求の範囲】
【請求項１】
２つのレンズ、フレームユニット、接続ユニット、テンプルユニット及びロックユニットを備える、テンプルを容易に組立てる眼鏡であって、
該フレームユニットは、レンズが装着されるフレーム本体と、フレーム本体の両側から後方へ延伸する２つの延伸部とを備え、各延伸部はねじ孔を有し、
該接続ユニットは延伸部に対応して設けられる２つの接続具を有し、各接続具は隣接する前部と後部と、該前部の前面に形成され対応する延伸部が挿着される接続溝と、該前部に形成され該接続溝に連通すると共にねじ孔に対応して設けられる貫通孔と、該後部に形成される枢着孔と、を備え、
該テンプルユニットは、接続ユニットに対して回動することができる２つのテンプルを有し、各テンプルは対応する枢着孔に枢設される枢軸部と、該枢軸部と反対する側に設けられる耳掛部とを備え、
該ロックユニットは、脱着可能に該接続具の貫通孔に貫入し延伸部のねじ孔に螺合される２つのねじを備える、テンプルを容易に組立てる眼鏡。
【請求項２】
該接続ユニットは、各接続具に設けられる環装具を有し、
各接続具の枢着孔は、先端部から下方へ延伸し、対応するテンプルの枢軸部が貫入される頂口部と、底部から上方へ延伸すると共に頂口部に連通する底口部とを有し、
各環装具は、対応する底口部に枢設される管部と、管部内に形成され、対応するテンプルの枢軸部が挿着される装着孔とを有する、ことを特徴とする請求項１に記載のテンプルを容易に組立てる眼鏡。
【請求項３】
各テンプルは、対応する枢軸部と耳掛部とを接続する接続部を有し、
各枢軸部は、対応する接続部から前方へ延伸した後、対応する接続具の枢着孔に下向けに挿入する延伸部と、延伸部の底部に位置し、対応する環装具の装着孔に挿着する固定部とを有する、ことを特徴とする請求項２に記載のテンプルを容易に組立てる眼鏡。
【請求項４】
該固定部は歯状を呈する、ことを特徴とする請求項３に記載のテンプルを容易に組立てる眼鏡。
【請求項５】
各接続具は、後部におけるフレームユニットのフレーム本体から離れた側に設けられ、対応するテンプルの回動角度を制限する止め部を有する、ことを特徴とする請求項１に記載のテンプルを容易に組立てる眼鏡。
【請求項６】
各延伸部は、フレーム本体の同一側から後方へ延伸され、隣接して設けられる上方フレームと下方フレームとを有し、各延伸部のねじ孔は、対応する上方フレーム及び下方フレームの一方に形成される、ことを特徴とする請求項１に記載のテンプルを容易に組立てる眼鏡。
【考案の詳細な説明】
【技術分野】
【０００１】
本実用新案は眼鏡に関し、特にテンプルを容易に組立てる眼鏡に関するものである。
【背景技術】
【０００２】
従来の眼鏡は、２つのレンズと、該レンズを収容するためのフレームユニットと、該フレームユニットの両側に回動可能に装着されるテンプルと、テンプル及びフレームユニットに設置され、回動軸として且つロック用の２つの枢転ねじと、を備え、枢転ねじの締め付けにより、フレームユニットに対してテンプルを回動可能に装着することができる。
その他の構造として、蝶番部材の後方に固定片を有したコネクターを、テンプルに形成したメクラ孔に挿入し、フレーム側の蝶番片と蝶番部材を枢着することでテンプルを装着できる構造が知られている（特許文献１参照）。
【先行技術文献】
【特許文献】
【０００３】
【特許文献１】特開２００９−６３９７８号公報
【考案の開示】
【考案が解決しようとする課題】
【０００４】
しかしながら、テンプルを経時的に回動すると、枢転ねじが緩みやすくなるため、枢転ねじを経常的に締め付ける必要があるので、使用者の使用において不便です。
【０００５】
本実用新案の目的としては、テンプルを容易に組立てる眼鏡を提供することにある。
【課題を解決するための手段】
【０００６】
本実用新案に係る、テンプルを容易に組立てる眼鏡は、２つのレンズ、フレームユニット、接続ユニット、テンプルユニット及びロックユニットを備える。
【０００７】
該フレームユニットは、レンズが装着されるフレーム本体と、フレーム本体の両側から後方へ延伸する２つの延伸部とを備え、各延伸部はねじ孔を有する。該接続ユニットは延伸部に対応して設けられる２つの接続具を有し、各接続具は隣接する前部と後部と、該前部の前面に形成され対応する延伸部が挿着される接続溝と、該前部に形成され該接続溝に連通すると共にねじ孔に対応して設けられる貫通孔と、該後部に形成される枢着孔と、を備え、該テンプルユニットは、接続ユニットに対して回動することができる２つのテンプルを有し、各テンプルは対応する枢着孔に枢設される枢軸部と、該枢軸部と反対する側に設けられる耳掛部とを備え、該ロックユニットは、脱着可能に該接続具の貫通孔に貫入し延伸部のねじ孔に螺合される２つのねじを備える。
【考案の効果】
【０００８】
本実用新案の効果としては、延伸部と接続具とねじとを別体に設置することによって、ねじの経常的な緩みを防止することができ、テンプルの組立てを容易に行うことができる。
【図面の簡単な説明】
【０００９】
【図１】本実用新案に係るテンプルを容易に組立てる眼鏡の一実施例の斜視図である。
【図２】同実施例の一部分解図である。
【図３】図２の一部拡大図である。
【図４】同実施例の一部斜視図である。
【図５】図４のＶ−Ｖ線断面図である。
【図６】同実施例の使用模式図であり、テンプルユニット及び接続ユニットと、フレームユニットとが分離した状態を説明する。
【図７】同実施例の使用模式図であり、接続ユニットに対してテンプルユニットが回動した状態を説明する。
【考案を実施するための形態】
【００１０】
図１，２，３に示すように、本実用新案に係るテンプルを容易に組立てる眼鏡の実施例では、２つのレンズ２、フレームユニット３、接続ユニット４、テンプルユニット５及びロックユニット６を備える。
【００１１】
該フレームユニット３は、レンズ２が装着されるフレーム本体３１と、フレーム本体３１の両側から後方へ延伸する２つの延伸部３２とを備える。
【００１２】
各延伸部３２は、ねじ孔３２１と、フレーム本体３１の同一側から後方へ延伸され、隣接して設けられる上方フレーム３２２と下方フレーム３２３とを有し、延伸部３２のねじ孔３２１は、対応する上方フレーム３２２及び下方フレーム３２３の一方に形成される。
本実施例において、対応する上方フレーム３２２と下方フレーム３２３とは一体に連結固定せず、ねじ孔３２１が下方フレーム３２３に形成される。
【００１３】
図３，４，５に示すように、接続ユニット４は、延伸部３２に対応して設けられる２つの接続具４１と、各接続具４１に設けられる環装具４２とを有する。
【００１４】
各接続具４１は、隣接する前部４１１と後部４１２と、後部４１２におけるフレームユニット３のフレーム本体３１から離れた側に設けられる止め部４１３と、前部４１１の前面に形成され対応する延伸部３２が挿着される接続溝４１４と、前部４１１に形成され該接続溝４１４に連通すると共にねじ孔３２１に対応して設けられる貫通孔４１５と、後部４１２に形成される枢着孔４１６と、を備える。
【００１５】
各接続具４１の枢着孔４１６は、先端部から下方へ延伸する頂口部４１７と、底部から上方へ延伸すると共に頂口部４１７に連通する底口部４１８とを有する。
【００１６】
各環装具４２は、対応する底口部４１８に枢設される管部４２１と、管部４２１内に形成される装着孔４２２とを有する。
【００１７】
図２，３，５に示すように、テンプルユニット４５は、接続ユニット４に対して回動することができる２つのテンプル５１を有し、各テンプル５１は、対応する枢着孔４１６に枢設される枢軸部５１１と、該枢軸部５１１と反対する側に設けられる耳掛部５１２と、対応する枢軸部５１１と耳掛部５１２とを接続する接続部５１３とを備える。
【００１８】
本実施例においては、テンプル５１の回動角度が対応する止め部４１３によって制限される。
【００１９】
各枢軸部５１１は、対応する接続具４１の頂口部４１７に貫入し、対応する環装具４２の装着孔４２２に挿着する。枢軸部５１１は、対応する接続部５１３から前方へ延伸した後、対応する接続具４１の枢着孔４１６に下向けに挿入する延伸部５１４と、延伸部５１４の底部に位置し、対応する環装具４２の装着孔４２２に挿着する固定部５１５とを有する。本実施例においては、固定部５１５が歯状を呈する。
【００２０】
該ロックユニット６は、脱着可能に該接続具４１の貫通孔４１５に貫入し延伸部３２のねじ孔３２１に螺合される２つのねじ６１を備える。
【００２１】
図３，５，６に示すように、テンプルユニット５及び接続ユニット４を装着する際に、先ずは環装具４２を接続具４１の底部から底口部４１８に挿入し、テンプル５１の枢軸部５１１を接続具４１の先端部から頂口部４１７に挿入し、テンプル５１の固定部５１５を環装具４２の装着孔４２２に固定することによって、テンプルユニット５及び接続ユニット４の組立てが完了する。
【００２２】
次に、フレームユニット３の上方フレーム３２２と下方フレーム３２３とを同時に接続具４１の接続溝４１４に挿入し、ロックユニット６のねじ６１を接続具４１の貫通孔４１５に貫入し、ねじ６１を延伸部３２のねじ孔３２１に螺合することによって、接続ユニット４とフレームユニット３とを固定する。
【００２３】
図７に示すように、使用の際に、テンプル５１は枢軸部５１１を軸として接続具４１に対して回動することができ、又、テンプル５１が外方へ回転する時、テンプル５１の回転角度が接続具４１の止め部４１３によって制限されるため、テンプル５１の外側への回転角度が大きすぎて損傷してしまうことは発生しない。
【００２４】
又、メンテや交換のために、テンプルユニット５をフレームユニット３から脱着分離する必要がある時、対応するねじ６１を外すだけで、対応する接続具４１とテンプル５１との組立体がスムーズに延伸部３２から分離することができるので、メンテや交換が便利です。
【００２５】
テンプル５１は枢軸部５１１を介して枢転を行うため、ねじ６１の経常的な緩みが発生しなく、使用者による経常的に締め付けを行う必要がなくなり、使用においては便利です。
【産業上の利用可能性】
【００２６】
上記説明により、延伸部３２と接続具４１とねじ６１とを別体に設置することによって、ねじ６１の経常的な緩みを防止することができるため、従来の眼鏡に比べて、本実用新案ではテンプル５１の組立てを容易に行うことができるので、本実用新案の目的を達成することができる。
【００２７】
上記説明したのは、単に本実用新案の実施例に過ぎなく、これによって本実用新案の実施範囲を制限することではなく、本実用新案の請求の範囲及び明細書の内容に基づいて簡単的な同等の変化や修飾も、本実用新案の範囲に含まれる。
【符号の説明】
【００２８】
２…レンズ
３…フレームユニット
３１…フレーム本体
３２…延伸部
３２１…ねじ孔
３２２…上方フレーム
３２３…下方フレーム
４…接続ユニット
４１…接続具
４１１…前部
４１２…後部
４１３…止め部
４１４…接続溝
４１５…貫通孔
４１６…枢着孔
４１７…頂口部
４１８…底口部
４２…環装具
４２１…管部
４２２…装着孔
５…テンプルユニット
５１…テンプル
５１１…枢軸部
５１２…耳掛部
５１３…接続部
５１４…延伸部
５１５…固定部
６…ロックユニット
６１…ねじ
【図１】
0003199702.tif 000003
【図２】
0003199702.tif 000004
【図３】
0003199702.tif 000005
【図４】
0003199702.tif 000006
【図５】
0003199702.tif 000007
【図６】
0003199702.tif 000008
【図７】
0003199702.tif 000009